(57)【要約】【課題】 交換可能な緩衝基材のクッション体を提供する。【解決手段】  主に通気性を備える底パッド表面上に、必要な緩衝基材排列パターンを予め形成し、自由に交換可能な異なる材質或いは同材質で異なる密度の緩衝基材を該底パッド表面の排列パターン上に排列設置する。設置完成後の数個の緩衝基材上方には交換可能な防水通湿材質或いは通気汗排出材質のカバー層を設置し、該底パッドと相互に連接し、交換可能な緩衝基材を備えた幅が広く、しかも柔軟快適なクッション体を構成する。こうして該クッション体は緩衝、通気、熱気が篭らないという特徴を達成する。本考案の多くの長所は、長期的に横たわらなければならない病人用の敷きパッド、座布団パッド等及び流行を追求し、しかも快適性も求められるクッション体に広く運用することができる。【選択図】  図１
0003139396.tif 000002
【実用新案登録請求の範囲】
【請求項１】
主に交換可能な緩衝基材のクッション体は数個の緩衝基材により底パッド上に排列し、カバー層により緩衝基材全体を包覆し、該カバー層は該底パッドに連接固定し、
該構造の主要な特徴は緩衝基材は使用者の必要に応じて間隔距離及び通道を設置可能で、該底パッド上において任意に排列を交換し組合せ可能で、快適なクッション体を形成することを特徴とする交換可能な緩衝基材のクッション体。
【請求項２】
前記緩衝基材は発泡材料により構成することを特徴とする請求項１記載の交換可能な緩衝基材のクッション体。
【請求項３】
前記緩衝基材はゴム材料により構成することを特徴とする請求項１記載の交換可能な緩衝基材のクッション体。
【請求項４】
前記緩衝基材はゲル(gel)により構成することを特徴とする請求項１記載の交換可能な緩衝基材のクッション体。
【請求項５】
前記緩衝基材はサポート性が良好な弾性繊維材料が交織し形成する構造であることを特徴とする請求項１記載の交換可能な緩衝基材のクッション体。
【請求項６】
前記緩衝基材中には通孔構造を設置し、これによりクッション間の緩衝基材は無数の通気通道を形成し、人体が発生する湿気は該通孔を通して、緩衝基材の圧縮変形時に強制的に対流され、該底パッドに伝わることを特徴とする請求項１記載の交換可能な緩衝基材のクッション体。
【請求項７】
前記緩衝基材の底面位置にはフック面を設置し、該底パッド上にはループ面を設置し、これにより両者は繰り返し粘着固定可能であることを特徴とする請求項１記載の交換可能な緩衝基材のクッション体。
【請求項８】
前記緩衝基材の形状は六角形を呈し、必要に応じてそれを積み重ね、局部或いはクッション体全体を高くすることができることを特徴とする請求項１記載の交換可能な緩衝基材のクッション体。
【請求項９】
前記底パッドは柔軟でフレキシブル性を備え、しかも伸縮性が良好な通気弾性材質により構成することを特徴とする請求項１記載の交換可能な緩衝基材のクッション体。
【請求項１０】
前記底パッド表面上には所定のパターンを設置し、使用者はそのパターンフォーマットに従い緩衝基材をその上に排列することを特徴とする請求項１記載の交換可能な緩衝基材のクッション体。
【請求項１１】
前記カバー層は交換式の防水通湿材質或いは通気汗排出材質により構成することを特徴とする請求項１記載の交換可能な緩衝基材のクッション体。
【請求項１２】
前記カバー層はファスナーと底パッドが相互に連接固定することを特徴とする請求項１記載の交換可能な緩衝基材のクッション体。
【考案の詳細な説明】
【技術分野】
【０００１】
本考案は一種の交換可能な緩衝基材のクッション体に関する。特に一種の使用者は異なる材質或いは同材質で異なる密度の緩衝基材を自由に交換することができ、それを通気底パッド上に設置し、これにより使用者は異なる硬度で、しかも異なる材質の緩衝基材を自身で交換可能で、それを通気底パッド上の異なる位置に設置し、使用者は本考案の利用時に、通気機能を維持しながらクッション体内部に様々な緩衝基材を設置し、仰向け寝、座る、横向き寝時の最適な快適感を達成することができる交換可能な緩衝基材のクッション体に係る。
【背景技術】
【０００２】
伝統的な座布団パッド、ベッドパッド、或いは他用途のパッドなどでは、クッション体内部に羽毛、スポンジ、化学繊維、複合材料等のどのような材質を使用しようとも、多くは製造工場が市場ニーズに応じて、上記異なる材質をクッション体中に充填し、市場で販売している。
各種異なる市場ニーズに対応するため、クッション体中には各種サポート性を備え、硬度が異なる材質を充填するが、消費者がより快適でしかも柔軟なクッション体を好む場合にも、座布団パッドとして長時間使用すると、パッドの通気性が悪く、熱が篭るような感覚を抱くようになる。反対に、もし通気性に優れたクッション体を使用すれば、その上に座る或いは横たわる時に材質の堅さを感じ、不快である。すなわち、通気性に優れるが硬度が比較的高いクッション体を使用すると、時間が長くなれば、クッション体上に位置する人体部位は不快を感じてしまう。
これに対して現在市場では、空気充填交換式のクッション体が見られる。該クッション体内部に設置する空気充填ユニットは使用者の硬度に対するニーズに応じて空気を充填体に充填し必要な硬度とし、或いはその局部取り外し可能な機能を利用し、快適感を拡大することができる。しかし、その主な欠点はクッション体の通気性が不良で、使用時間が長くなると不快感を生じることである。
すなわち、如何にして良好な通気性を維持しながら、圧力を分散し、柔軟快適性を増強するかが、現在クッション体研究開発時の考慮すべき重要課題である。
本考案人はこれに鑑み、努力研鑽を続け、絶えず試験を繰り返し、ついに本考案の開発に成功した。
【特許文献１】登録実用新案第３０９２００８号明細書
【考案の開示】
【考案が解決しようとする課題】
【０００３】
本考案が解決しようとする課題は上記伝統的クッション体の欠点である使用時の効果が完璧でない点に鑑み、クッション体材料及びクッション体構造設計の改良、研究開発における本考案人の多年にわたる従事経験を生かし、人類の身体快適感に対する追求とより良いクッション体を求める渇望に対して研究開発を進め、本考案を開発した。
【課題を解決するための手段】
【０００４】
上記課題を解決するため、本考案は下記の交換可能な緩衝基材のクッション体を提供する。
それは主に交換可能な緩衝基材のクッション体を提供し、主に通気繊維材質の通気底パッドにおいてマジックテープ（登録商標）の粘着方式により、異なる材質或いは同材質で異なる密度の緩衝基材を、該通気底パッド上に排列設置し、設置完成後の数個の緩衝基材は立体のサポート面を形成し、続いて交換可能な防水通湿或いは通気汗排出材質のカバー層を設置し全体を包覆し、緩衝基材により構成するクッション体構造はファスナーにより該通気底パッドと相互に連接固定され、
使用者は自身でクッション体中の緩衝基材を交換、及びクッション体のカバー層を交換、洗浄可能で、
本考案の特徴は、クッション体中の緩衝基材は使用者の必要に応じて、該クッション体中の異なる部位に異なる材質或いは同材質で異なる密度の緩衝基材を設置することができる点で、
これにより使用者はクッション体使用時のより高い快適性を求め、自身で異なる硬度の緩衝基材をクッション体と身体の接触部位に設置し、本考案を長期的に使用するユーザーは最良かつ均一な圧力緩衝効果を得ることができ、緩衝性、通気性、サポート性共に優れ、良好な快適感を備える優良クッション体を構成する。
【考案の効果】
【０００５】
上記のように、本考案は長期的に横たわらなければならない病人用の敷きパッド、より高い快適性を求めるクッション体などに運用することができる。
【考案を実施するための最良の形態】
【０００６】
本考案の構造、特徴及び他の目的ついて、以下に図を用い、最適実施例について詳細に説明する。
本考案交換可能な緩衝基材のクッション体の主要構造は通孔12を備える緩衝基材10を底パッド30の上に排列設置し、続いてカバー層40により該緩衝基材10を包覆し、該底パッド30と相互に固定連結し、固定しかつ幅広のクッション体90を形成する。
該緩衝基材10の形状は考案人の研究試験により六面立方体が最良であることが明らかになっており、多数の六角形体緩衝基材10を全体に排列し、構造性が完成されたハニカム構造を形成する。該構造中では各三個の六角形体の中心点はちょうど黄金比率の正三角形を形成するため、構造力学原理に基づけばその構造性は最良であり、全体的サポート性も最良である。
【０００７】
該クッション体90に対する研究者、学者等により、六面立方体の構造特性は、この構造体が圧力を受けた時に、傾斜或いは歪曲変形が最も起きにくいことが明らかにされている。
さらに該クッション体90全体の通気性のために、該緩衝基材10のサポート構造を破壊しないという前提において、その縦方向部位に該緩衝基材10を貫通する通孔12を設置する。これにより該クッション体90間の緩衝基材10は無数の通気通道を形成し、人体が発生する湿気は該通孔12を通り、該緩衝基材10が圧縮変形すると同時に強制的に対流され、該底パッド30に伝わる。次に、その湿気は拡散し排出され、最高の通気効果を達成する。
もし使用者が該クッション体90を高くしたい場合には、必要に応じて２個以上の緩衝基材10を積み重ね高さを上げ、該緩衝基材10間には底パッド30を入れ間隔を開け、こうしてクッション体が高さを増した時の優良な通気効果を達成する。
さらに使用者の便のため、様々なサポート強度及び硬度に対するニーズに応じて、異なる材質或いは同材質で異なる密度の緩衝基材10に自由に交換することができる。該緩衝基材10の底面上にはフック面20を設置し、該底パッド30上のループ面22とマジックテープ（登録商標）のような作用を形成し、繰り返し粘着固定することができる。
【０００８】
該底パッド30は弾性を備えた繊維材質が交織し形成される立体構造等の弾性材料により構成する。これにより良好なフレキシブル性及び伸縮性を備え、しかもサポート性と通気性に優れた底パッドとなる。
該底パッド30上表面位置には所定のパターン80を設置し、使用者はそのパターンに従い便利に該緩衝基材10を排列し、間隔距離及び通道を設置することができ、完成されたハニカム構造を形成する。
【０００９】
該所定のパターン80表面位置全体にはループ面22を形成し、該緩衝基材10のフック面20と固定可能で、マジックテープ（登録商標）のような繰り返し粘着固定効果を達成する。
該底パッド30上において該緩衝基材10全体の設置を完成後、その上方には交換式の防水通湿材質或いは通気汗排出材質のカバー層40を設置し、さらにファスナー92により該底パッド30と相互に連接する。こうして使用者はクッション体表面のカバー層40を便利に交換、洗浄することができる。
本考案のもう一つの重要な特徴は、使用者の必要に応じて該クッション体90のカバー層40を開き、該クッション体90の異なる部位において異なる材質或いは同材質で異なる密度の緩衝基材10を設置可能な点である。
【００１０】
本考案の緩衝基材10は軟質PU発泡材料（いわゆる記憶材料）、ゴム材料、ゲル(gel)或いはサポート性が良好な弾性繊維材料が交織し形成される立体構造等の軟質弾性体を採用する。
本考案が採用するPU発泡材料の特性として、密度が異なれば異なるサポート強度を生じるため、異なる柔軟性を形成することができる。
また使用者は本考案の利用時に、異なる硬度の緩衝基材10を自身で該クッション体90中に入れ、より高い快適性を得ることができる。例えば、人が該クッション体90上に仰向け寝する時には、頭部と臀部がより重いため、該クッション体90と該部位が接触する位置が受ける圧力は比較的大きくなり、緩衝効果が最適の緩衝材料が必要である。この時、該クッション体90中の受ける圧力がより大きい部位には、緩衝効果が最適でより柔軟なPU発泡材料、或いはこれとは異なり、耐緩衝でより柔軟な材料を入れることができる。
【００１１】
本考案はさらに幅広い多様性を擁し、使用者のニーズに応じて、様々な選択を行うことができ、異なる機能への要求を満たすことができる。これにより該クッション体90は緩衝、通気、熱気が篭らないという特徴を備える。
本考案の多くの長所は、長時間座らなければならない人用の座布団パッド、クッション等、或いは長期的に横たわらなければならない病人用の敷きパッド、及び流行を追求し、しかも快適性も求められるクッション体に広く運用することができる。
【図面の簡単な説明】
【００１２】
【図１】本考案置換緩衝基材の最適実施例図である。
【図２】本考案緩衝基材の立体指示図である。
【図３】本考案の局部断面指示図である。
【図４】本考案緩衝基材積み重ね時の局部断面指示図である。
【図５】本考案異なる密度の緩衝基材を人体の異なる抵靠部位に応用する実施例図である。
【図６】本考案は使用防水通湿材質カバー層及び顯露内部緩衝基材の実施例指示図である。
【図７】本考案は使用通気汗排出材質カバー層及び顯露内部緩衝基材の実施例指示図である。
【図８】本考案の背面指示図である。
【図９】本考案の正面立体指示図である。
【符号の説明】
【００１３】
10  緩衝基材
10A  異なる密度の緩衝基材
10B  緩衝基材の間隙
12  通孔
20  フック面
22  ループ面
30  底パッド
40  カバー層
40A  防水通湿材質
40B  通気汗排出材質
80  所定のパターン
90  クッション体
92  ファスナー
【図１】
0003139396.tif 000003
【図２】
0003139396.tif 000004
【図３】
0003139396.tif 000005
【図４】
0003139396.tif 000006
【図５】
0003139396.tif 000007
【図６】
0003139396.tif 000008
【図７】
0003139396.tif 000009
【図８】
0003139396.tif 000010
【図９】
0003139396.tif 000011